(57)【要約】【課題】二重床構造に適用することができ、洗濯機使用時に発生する振動の隣室への伝達を防止することができる洗濯機載置用床材を提供すること。【解決手段】本発明の洗濯機載置用床材１０は、床スラブ２１上に複数の支持脚２２を介して仕上げ床材２３を配置した二重床２０構造に適用されるものであり、二重床構造の仕上げ床材２３に設けられた開口部２５に配置され、仕上げ床材２３から隙間２６を確保した状態で床スラブ２１に支持され、上部に載置面１１ａを有した板材１１を備える。【選択図】        図１
2008095308.tif 000002
【特許請求の範囲】
【請求項１】
床スラブ上に複数の支持脚を介して仕上げ床材を配置した二重床構造に適用される洗濯機載置用床材であって、
前記二重床構造の仕上げ床材に設けられた開口部に配置され、
前記仕上げ床材から隙間を確保した状態で前記床スラブに支持され、上部に載置面を有した板材を備えることを特徴とする洗濯機載置用床材。
【請求項２】
前記板材と前記床スラブとの間に防振材を介在させたことを特徴とする請求項１に記載の洗濯機載置用床材。
【請求項３】
前記板材の洗濯機載置面の全周に亘って壁部が設けられていることを特徴とする請求項１に記載の洗濯機載置用床材。
【発明の詳細な説明】
【技術分野】
【０００１】
本発明は、二重床構造に適用される洗濯機載置用の床材に関する。
【背景技術】
【０００２】
マンションのような集合住宅では、居室内に洗濯機が設置される場合が多く、洗濯機使用時に発生する振動は隣室や階下に伝わる。そこで、通常は、防振材が内蔵された洗濯機用パンを床上に配置し、この洗濯機用パンに洗濯機を置くことによって、洗濯機使用時に床に伝達される振動を低減させるようにしている（例えば、特許文献１を参照）。
【０００３】
【特許文献１】特開平１１−１４８１５７号公報
【発明の開示】
【発明が解決しようとする課題】
【０００４】
ところで、このような集合住宅では、コンクリート製の床スラブ上に支持脚を介して仕上げ床材を配置し両者の間に配水管や電力ケーブル等を配置する二重床構造とすることが一般的に行われている。二重床構造の施工法としては、図５の左側に示すように、間仕切壁２４０を床スラブ２１０上に設置した後に、仕上げ床材２３０を配置して二重床２００を敷設する床施工方法（以下、これを「壁先行構法」という。）が一般的に行われるが、近年、図５の右側に示すように、二重床２００を敷設した後に、仕上げ床材２３０上に間仕切壁２４０を設置する床施工方法（以下、これを「床先行構法」という。）が採用されることも多くなっている。床先行構法は、壁先行構法と比べて将来の居室区画の変更を容易に行うことができるというメリットがある一方、居室間に亘って床が連続して敷設された構造のため、壁先行構法と比べて居室間の振動が伝わりやすいというデメリットがあり、洗濯機を使用した場合にその振動が隣室に伝わりやすくなる。
【０００５】
特許文献１の洗濯機用防水パンには防振材が内蔵されており、洗濯機使用時に床に伝達される振動をある程度低減させることができるが、振動の一部は床に伝わる。特に、壁先行構法で施工された床面に洗濯機を配置する場合には、洗濯機使用時の振動の遮断が不十分であり、その結果、隣室の居住者に不快感を与えるという問題が生じる。
【０００６】
本発明は、上記の点に鑑み、二重床構造に適用することができ、洗濯機使用時に発生する振動の隣室への伝達を防止することができる洗濯機載置用床材を提供することを目的とする。
【課題を解決するための手段】
【０００７】
本発明の請求項１の洗濯機載置用床材は、床スラブ上に複数の支持脚を介して仕上げ床材を配置した二重床構造に適用される洗濯機載置用床材であって、前記二重床構造の仕上げ床材に設けられた開口部に配置され、前記仕上げ床材から隙間を確保した状態で前記床スラブに支持され、上部に載置面を有した板材を備えることを特徴とする。
【０００８】
また、本発明の請求項２の洗濯機載置用床材は、上記請求項１において、前記板材と前記床スラブとの間に防振材を介在させたことを特徴とする。
【０００９】
また、本発明の請求項３の洗濯機載置用床材は、上記請求項１において、前記板材の洗濯機載置面の全周に亘って壁部が設けられていることを特徴とする。
【発明の効果】
【００１０】
本発明の洗濯機載置用床材によれば、洗濯機載置面を有する板材を備え、この板材を二重床構造の仕上げ床材に設けられた開口部に配置させ、仕上げ床材から隙間を確保した状態で床スラブに支持させるようにしたことで、洗濯機からの振動が板材に伝達された場合に、振動が板材から仕上げ床材に伝達しないから、洗濯機の振動が隣室へ伝達されるのを防止することができる。
【発明を実施するための最良の形態】
【００１１】
以下に添付図面を参照して、本発明に係る洗濯機載置用床材の好適な実施例について詳細に説明する。
【実施例１】
【００１２】
図１は、実施例１の洗濯機載置用床材を二重床構造に適用した状態を示し、洗濯機載置用床材の載置面上に洗濯機が設置された状態を正面から見た図であり、図２は図１の上面図である。なお、図２では洗濯機が省略されている。
【００１３】
図１に示すように、ここで例示する洗濯機載置用床材１０は、コンクリート製の床スラブ２１上に複数の支持脚２２を介して仕上げ床材２３を配置した二重床２０構造に適用されるものである。仕上げ床材２３の洗濯機載置場所となる部分には、上方から見て矩形状の開口部２５が形成されている。開口部２５は、後述する洗濯機載置用床材１０の板材１１よりも大きな寸法を有しており、この開口部２５内に洗濯機載置用床材１０が設置されることになる。
【００１４】
洗濯機載置用床材１０は、洗濯機１００の載置面１１ａを有する板材１１と、床スラブ２１に対して板材１１を支持する脚１２とを備える。板材１１は、洗濯機１００を載置するのに十分な寸法の矩形状を成す一方、仕上げ床材２３に形成された開口部２５の寸法よりも小さく形成され、木材、樹脂、金属又はこれらの複合材等の材質から構成されるものである。また、板材１１には開口１３が設けられており、この開口１３を通して洗濯機１００に付属する排水ホース１０１が、二重床２０の空間部２４に配管されているフレキシブルホース１０２に接続されている。脚１２は、洗濯機載置用床材１０の設置面に対して板材１１を所定の高さに保つためのものであり、鉄、アルミ、木材等の材質から構成されている。なお、図には明示されていないが、洗濯機載置用床材１０は板材１１の四隅に４本の脚１２を備えている。
【００１５】
図１及び図２に示すように、洗濯機載置用床材１０は、二重床２０と同程度の高さを有し、開口部２５の周縁の仕上げ床材２３から隙間を確保した状態、すなわち、板材１１が仕上げ床材２３と接触しない状態で、脚１２を介して床スラブ２１に支持されている。すなわち、洗濯機載置用床材１０は、板材１１と開口部２５との間に隙間２６を確保して配置されることで、洗濯機使用時に発生する振動が板材１１に伝達された場合に、この振動が板材１１から仕上げ床材２３に伝達しないように構成されている。板材１１と開口部２５の隙間２６は、１ｍｍ〜５ｍｍ程度であれば十分に洗濯機使用時の振動を遮断することができる。また、洗濯機使用時の振動によって洗濯機載置用床材１０が動かないように、脚１２を床スラブ２１に固定してもよい。
【００１６】
次に、洗濯機載置用床材１０の設置手順及び作用について説明する。まず、床先行構法にて二重床２０を敷設する。次に、洗濯機１００を載置する部分の仕上げ床材２３を切り取ることによって、開口部２５を形成する。なお、この開口部２５を形成する作業は必ずしも現場で行う必要はなく、例えば、仕上げ床材２３を現場に搬入する前に予め工場にて開口部２５を形成してもよい。次いで、板材１１と開口部２５との間に隙間２６を確保した状態で、床スラブ２１上に洗濯機載置用床材１０を配置する。この後、二重床２０の空間部２４に配管されているフレキシブルホース１０２を板材１１に形成された開口１３に接続する。
【００１７】
本実施例の洗濯機載置用床材１０によれば、洗濯機載置面１１ａを有する板材１１を、仕上げ用床材２３から隙間２６を確保した状態で床スラブに支持させるようにしたので、洗濯機使用時に板材１１から仕上げ床材２３に振動が伝達されないから、隣室への振動の伝達を最小限度に抑えることが可能となる。また、床スラブ２１に対して板材１１を支持する脚１２を備える構成としたことで、振動が板材１１から直接床スラブ２１に伝わる場合と比べて、振動が床スラブ２１へ伝わるのを低減させることができる。
【００１８】
また、本実施例の洗濯機載置用床材１０は、床先行構法にて敷設された二重床構造に適用することにより、任意の場所に簡単な作業のみで洗濯機を設置することが可能となる。例えば、将来、居室区画を変更し、洗濯機設置場所を移動することになった場合には、新しい洗濯機設置場所の仕上げ床材２３を切り取ることにより新たに開口部２５を設け、洗濯機載置用床材１０をこの開口部内に移設し、二重床２０の空間部２４に配管されたフレキシブルホース１０２を新しい設置場所まで移動させて板材１１の開口１３に接続することにより、洗濯機の設置場所を簡単に移動することができる。
【実施例２】
【００１９】
次に、本発明の実施例２に係る洗濯機載置用床材について説明する。なお、実施例１と同一の構成については同一の符号を使用し、その説明を省略する。図３は、実施例２の洗濯機載置用床材を二重床構造に適用した状態を示し、洗濯機載置用床材の載置面上に洗濯機が設置された状態を正面から見た図である。
【００２０】
実施例２の洗濯機載置用床材１０は、実施例１と同様にコンクリート製の床スラブ２１上に複数の支持脚２２を介して仕上げ床材２３を配置した二重床２０構造に適用されるものであり、洗濯機１００の載置面１１ａを有する板材１１と、板材１１を支持する脚１２とを備える。実施例１と同様に、洗濯機載置用床材１０は、板材１１と開口部２５との間に隙間２６を確保した状態で、開口部２５内に配置されている。
【００２１】
図３に示すように、各脚部１２は、床スラブ２１との接触面に防振材１５を備えている。防振材１５はゴム、ばね等の振動を減衰させる機能を有する材料から構成されるものである。図には明示されていないが、この防振材１５には凹部が形成されており、この凹部に脚部１２の先端部分を嵌め込むことによって、脚部１２に取り付けられる。
【００２２】
実施例２の洗濯機載置用床材１０においても、洗濯機載置１１ａ面を有する板材１１を、仕上げ用床材２３から隙間２６を確保した状態で床スラブに支持させるようにしたので、洗濯機使用時に板材１１から仕上げ床材２３に振動が伝達されないから、隣室への振動の伝達を最小限度に抑えることが可能となる。
【００２３】
さらに、実施例２の洗濯機載置用床材１０によれば、脚部１２と床スラブ２１との間に防振材１５を介在させることで、脚部１２を通じて床スラブ２１に伝達される洗濯機１００の振動が防振材１５に吸収されるから、床スラブ２１及び支持脚２２を通じて仕上げ床材２３に伝達される振動を抑制することができ、その結果、隣室への振動の伝達をさらに抑えることができるとともに、階下への振動の伝達も低減させることができる。
【実施例３】
【００２４】
次に、本発明の実施例３に係る洗濯機載置用床材について説明する。なお、実施例１と同一の構成については同一の符号を使用し、その説明を省略する。図４は、実施例３の洗濯機載置用床材を二重床構造に適用した状態を示し、洗濯機載置用床材の載置面上に洗濯機が設置された状態を正面から見た図である。
【００２５】
実施例３の洗濯機載置用床材１０は、実施例１と同様にコンクリート製の床スラブ２１上に複数の支持脚２２を介して仕上げ床材２３を配置した二重床２０構造に適用されるものであり、洗濯機１００の載置面１１ａを有する板材１１と、板材１１を支持するための脚部１２とを備える。実施例１と同様に、洗濯機載置用床材１０は、板材１１と開口部２５との間に隙間２６を確保した状態で、開口部２５内に配置されている。
【００２６】
図４に示すように、板材１１の洗濯機載置面１１ａには、その周縁部の全周に亘って所定高さの水止め用の壁部が延設されており、板材１１が防水パンとしての機能を兼ね備えた構造となっている。なお、図３では脚部１２が床スラブ２１上に直に配置されているが、脚部１２と床スラブ２１との間に防振材を介在させた構成とすることもできる。
【００２７】
実施例３の洗濯機載置用床材１０においても、洗濯機載置面１１ａを有する板材１１を、仕上げ用床材２３から隙間を確保した状態で床スラブに支持させるようにしたので、洗濯機使用時に板材１１から仕上げ床材２３に振動が伝達されないから、隣室への振動の伝達を最小限度に抑えることが可能となる
【００２８】
さらに、実施例３の洗濯機載置用床材１０によれば、板材１１を防水パンとしての機能を兼ね備えた構造としたことで、洗濯機１００からの排水が仕上げ床材２３と板材１１との間の隙間に浸水するようなことがなく、また、洗濯機載置用床材１０の周囲の仕上げ床材２３に対する防水・防湿を行うことができる。
【００２９】
なお、上記実施例１、２、３において、開口部２５と板材１１との間の隙間２６から異物やごみ等が落下しないように、図６に示すように、振動の伝わりにくいゴム等からなる軟質材カバー３１で隙間２６を覆ってもよい。あるいは、図７に示すように、仕上げ床材２３と接触しないように仕上げ床材２３側を浮き上がらせ、板材１１側を固定したカバー３２で隙間２６を覆ってもよい。これにより、洗濯機載置用床材１０の防振機能を妨げることなく、隙間２６からの異物の落下を防止することができる。
【産業上の利用可能性】
【００３０】
以上のように、本発明の洗濯機載置用床材によれば、洗濯機使用時に振動が隣室へ伝達されるのを防止することができる。また、居室区画の変更により洗濯機設置場所を移動することになった場合にも、簡単な作業のみで移設することができる。
【図面の簡単な説明】
【００３１】
【図１】本発明の実施例１の洗濯機載置用床材を二重床構造に適用した状態を示す図である。
【図２】図１の上面図である。
【図３】本発明の実施例２の洗濯機載置用床材を二重床構造に適用した状態を示す図である。
【図４】本発明の実施例３の洗濯機載置用床材を二重床構造に適用した状態を示す図である。
【図５】二重床の施工法である壁先行構法及び床先行構法を比較して示す図である。
【図６】本発明の実施例１〜３において、板材と仕上げ床材との間の隙間をカバーで覆った状態の一部を示す図である。
【図７】本発明の実施例１〜３において、板材と仕上げ床材との間の隙間をカバーで覆った状態の一部を示す図である。
【符号の説明】
【００３２】
１０    洗濯機載置用床材
１１    板材
１１ａ  載置面
１２    脚部
１５    防振材
１６    壁部
２０    二重床
２１    床スラブ
２３    仕上げ床材
２５    開口部
２６    隙間
【図１】
2008095308.tif 000003
【図２】
2008095308.tif 000004
【図３】
2008095308.tif 000005
【図４】
2008095308.tif 000006
【図５】
2008095308.tif 000007
【図６】
2008095308.tif 000008
【図７】
2008095308.tif 000009